(57)【要約】  表皮から真皮及び筋膜に至る構造部分に対し、目的に応じて刺激の深さを調整可能なテーピングキットを提供する。  本発明では、伸縮性のある基材と該基材の片面に接着剤層とを少なくとも備える身体貼着用のテープを２枚以上有するテーピングキットであって、  長手方向に複数のスリットを有する第１のテープと、  長手方向に複数のスリットを有し、前記第１のテープの少なくとも一部に重ねて貼着される第２のテープと、  を有するテーピングキットを提供する。
2019009411.tif 000002
【特許請求の範囲】
【請求項１】
伸縮性のある基材と該基材の片面に接着剤層とを少なくとも備える身体貼着用のテープを２枚以上有するテーピングキットであって、
長手方向に複数のスリットを有する第１のテープと、
長手方向に複数のスリットを有し、前記第１のテープの少なくとも一部に重ねて貼着される第２のテープと、
を有するテーピングキット。
【請求項２】
前記第１のテープの前記スリットは、長手方向両端部を残して、長手方向内部に設けられた、請求項１に記載のテーピングキット。
【請求項３】
前記第２のテープの前記スリットは、長手方向両端部を残して、長手方向内部に設けられた、請求項１又は２に記載のテーピングキット。
【請求項４】
長手方向に複数のスリットを有し、前記第１のテープ及び前記第２のテープの少なくとも一部に重ねて貼着される第３のテープを、更に有する、請求項１から３のいずれか一項に記載をテーピングキット。
【請求項５】
前記第３のテープの前記スリットは、長手方向両端部を残して、長手方向内部に設けられた、請求項４に記載のテーピングキット。
【請求項６】
切開術後の皮膚貼付用の、請求項１から５のいずれか一項に記載もテーピングキット。
【請求項７】
伸縮性のある基材と該基材の片面に接着剤層とを少なくとも備える身体貼着用テープの貼付方法であって、
長手方向に複数のスリットを有する第１のテープを、患部に貼付する、第１貼付工程と、
長手方向に複数のスリットを有する第２のテープを、前記第１のテープの少なくとも一部に重ねて貼着する、第２貼付工程と、
を有する貼付方法。
【請求項８】
前記患部が、切開術後の皮膚である、請求項７記載の貼付方法。
【発明の詳細な説明】
【技術分野】
【０００１】
本発明は、身体貼着用のテープを２枚以上有するテーピングキットに関する。より詳しくは、表皮、真皮、及び筋膜等へ作用するテーピングキット及び身体貼着用のテープの貼付方法に関する。
【背景技術】
【０００２】
現在、民間療法、経絡の歪み矯正、ツボ刺激、痩身、筋膜や筋肉の機能回復、骨や関節の機能回復、腱位置矯正、身体マッサージ、身体保温、身体保護、肩こりなどの凝り、痛み、炎症などの軽減、テーピング、美容、身体患部治療などの分野で、テープが活用されている。【０００３】
この身体貼着用テープは、上記例示の所望の効果を発揮できるように、材質、形態、機能面などから改良がなされている。例えば、接着剤層の形状や形態について工夫が施された身体貼着用テープが幾つか提案されている。【０００４】
特許文献１には、患部に貼られたテープが皮膚を引っ張ることなく刺激を与えることができるテープが開示されている。このテープは、テープ長手方向に延びるスリット部がテープ幅方向に複数形成されていることが特徴である。【０００５】
特許文献２には、特許文献１と同様の機能を有するテープが開示され、該テープには、テープ長手方向を向く所定長のスリット部が断続的に幅方向にわたって形成されている。【０００６】
特許文献３には、発汗時にはがれ難く、かつ通気性のあるテープが開示されている。このテープは、基材の折り目が露出する曲がりくねった線状の間隙が接着剤層に形成している。【０００７】
特許文献４には、肩こり、頭痛、整理痛、関節痛、筋肉痛に有効なテープが開示されている。このテープは、二層の接着剤層を備え、第一の接着剤層と第二の接着剤層との間が所定距離離間していることが特徴である。
【先行技術文献】
【特許文献】
【０００８】
【特許文献１】特開２００２−２３８９４４号公報
【特許文献２】特開２００２−２３３５４５号公報
【特許文献３】特開平１０−０３３７４１号公報
【特許文献４】特開２００１−２４５９２０号公報
【発明の概要】
【発明が解決しようとする課題】
【０００９】
本発明は、表皮から真皮及び筋膜に至る構造部分に対し、目的に応じて刺激の深さを調整可能なテーピングキットを提供することを主目的とする。
【課題を解決するための手段】
【００１０】
本発明では、まず、伸縮性のある基材と該基材の片面に接着剤層とを少なくとも備える身体貼着用のテープを２枚以上有するテーピングキットであって、
長手方向に複数のスリットを有する第１のテープと、
長手方向に複数のスリットを有し、前記第１のテープの少なくとも一部に重ねて貼着さ
れる第２のテープと、
を有するテーピングキットを提供する。
本発明に係るテーピングキットにおいて、前記第１のテープの前記スリットは、長手方向両端部を残して、長手方向内部に設けることができる。
本発明に係るテーピングキットにおいて、前記第２のテープの前記スリットも、長手方向両端部を残して、長手方向内部に設けることができる。
本発明に係るテーピングキットには、長手方向に複数のスリットを有し、前記第１のテープ及び前記第２のテープの少なくとも一部に重ねて貼着される第３のテープを、更に有することができる。
この場合、前記第３のテープの前記スリットも、長手方向両端部を残して、長手方向内部に設けることができる。
本発明に係るテーピングキットは、切開術後の皮膚貼付用に用いることができる。【００１１】
本発明では、次に、伸縮性のある基材と該基材の片面に接着剤層とを少なくとも備える身体貼着用のテープの貼付方法であって、
長手方向に複数のスリットを有する第１のテープを、患部に貼付する、第１貼付工程と、
長手方向に複数のスリットを有する第２のテープを、前記第１のテープの少なくとも一部に重ねて貼着する、第２貼付工程と、
を有する貼付方法を提供する。
本発明に係る貼付方法は、切開術後の皮膚に適用することができる。
【発明の効果】
【００１２】
本発明によれば、表皮から真皮及び筋膜に至る構造部分に対し、目的に応じて刺激の深さを調整することが可能である。
【図面の簡単な説明】
【００１３】
【図１】テーピングキットの身体貼着用のテープを１枚、身体に貼着する際の皮膚の内部構造を示す概念図である。
【図２】テーピングキットの身体貼着用のテープを２枚、身体に貼着する際の皮膚の内部構造を示す概念図である。
【図３】テーピングキットの身体貼着用のテープを３枚、身体に貼着する際の皮膚の内部構造を示す概念図である。
【図４】第１実施形態に係るテーピングキット１を身体に貼着した際の概念図である。
【図５】第１実施形態に係るテーピングキット１の貼着前の概念図である。
【図６】第２実施形態に係るテーピングキット１を身体に貼着した際の概念図である。
【図７】第２実施形態に係るテーピングキット１の貼着前の概念図である。
【図８】第３実施形態に係るテーピングキット１を身体に貼着した際の概念図である。
【図９】第３実施形態に係るテーピングキット１の貼着前の概念図である。
【図１０】第４実施形態に係るテーピングキット１を身体に貼着した際の概念図である。第４実施形態に係るテーピングキット１の概念図である。
【図１１】第４実施形態に係るテーピングキット１の貼着前の概念図である。
【図１２】第５実施形態に係るテーピングキット１を身体に貼着した際の概念図である。
【図１３】第５実施形態に係るテーピングキット１の貼着前の概念図である。
【図１４】第６実施形態に係るテーピングキット１を身体に貼着した際の概念図である。
【図１５】第６実施形態に係るテーピングキット１の貼着前の概念図である。
【図１６】実験例１において、テープの貼付方法を示す図面代用写真である。
【図１７】実験例１において、疼痛値の結果を示す図面代用グラフである。
【図１８】実験例１において、オピオイド鎮痛剤の使用量の結果を示す図面代用グラフである。
【図１９】実験例１において、パラセタモール（鎮痛剤）の使用量の結果を示す図面代用グラフである。
【図２０】実験例１において、呼吸障害の自覚症状の数を示す図面代用グラフである。
【図２１】実験例１において、疼痛の程度を６段階に分けた場合の人数を示す図面代用グラフである。
【図２２】実験例２において、テープの貼付方法を示す図面代用写真である。
【図２３】実験例２において、テープの貼付方法を示す図面代用写真である。
【図２４】実験例２において、テープの貼付方法を示す図面代用写真である。
【図２５】実験例２において、テープの貼付方法を示す図面代用写真である。
【図２６】実験例３において、テープの貼付方法を示す図面代用写真である。
【図２７】実験例３において、テープの貼付方法を示す図面代用写真である。
【図２８】実験例３において、筆記テストの結果を示す図面代用写真である。
【発明を実施するための形態】
【００１４】
以下、本発明を実施するための好適な形態について説明する。なお、以下に説明する実施形態は、本発明の代表的な実施形態の一例を示したものであり、これにより本発明の範囲が狭く解釈されることはない。
【００１５】
＜テーピングキット＞
まず、本開示のテーピングキット１のテープを身体に貼付する際の、皮膚の内部構造について、説明する。図１は、テーピングキットの身体貼着用のテープを１枚、身体に貼着した際の皮膚の内部構造を説明する概念図である。なお、図１では、説明の都合上、血管を極端に太く記載している（以下、同様）。図１Ａは、正常な内部構造を示し、図１Ｂは、表皮が炎症を起こして膨張した様子を示す。皮膚の内部には、毛細血管やリンパ管等の体液の流通管や神経が存在するが、例えば、表皮部分が炎症を起こして膨張すると、真皮、皮下組織、筋膜、筋肉等及びこれらに存在する体液の流通管や神経が圧迫され、体液の流通が滞ったり、痛みを感じたりする。ここで、身体貼着用テープ１１を、１枚、皮膚に貼付すると、図１Ｃに示すように、表皮が持ち上げられて、真皮、皮下組織、筋膜、筋肉等及びこれらに存在する体液の流通管や神経への圧迫から解放され、血液やリンパ液等の体液の流通も改善される。その結果、痛みが軽減され、炎症の治癒が促進される。
【００１６】
図２は、テーピングキットの身体貼着用のテープを２枚、身体に貼着する際の皮膚の内部構造を説明する概念図である。図２Ａは、正常な内部構造を示し、図２Ｂは、表皮及び真皮が炎症を起こして膨張した様子を示す。例えば、表皮及び真皮部分が炎症を起こして膨張すると、前記図１と同様に、真皮、皮下組織、筋膜、筋肉等及びこれらに存在する体液の流通管や神経が圧迫され、体液の流通が滞ったり、痛みを感じたりする。ここで、身体貼着用テープ１１を、２枚、皮膚に貼付すると、図２Ｃに示すように、表皮及び真皮が持ち上げられて、真皮、皮下組織、筋膜、筋肉等及びこれらに存在する体液の流通管や神経への圧迫から解放され、血液やリンパ液等の体液の流通も改善される。その結果、痛みが軽減され、炎症の治癒が促進される。
【００１７】
図３は、テーピングキットの身体貼着用のテープを３枚、身体に貼着する際の皮膚の内部構造を説明する概念図である。図３Ａは、正常な内部構造を示し、図３Ｂは、筋肉が炎症を起こして膨張した様子を示す。例えば、筋肉部分が炎症を起こして膨張すると、前記図１及び図２と同様に、真皮、皮下組織、筋膜、筋肉等及びこれらに存在する体液の流通管や神経が圧迫され、体液の流通が滞ったり、痛みを感じたりする。ここで、身体貼着用テープ１１を、３枚、皮膚に貼付すると、図３Ｃに示すように、表皮、真皮及び筋膜が持ち上げられて、真皮、皮下組織、筋膜、筋肉等及びこれらに存在する体液の流通管や神経への圧迫から解放され、血液やリンパ液等の体液の流通も改善される。その結果、痛みが軽減され、炎症の治癒が促進される。
【００１８】
以上説明したように、本開示のテーピングキットは、少なくとも２枚以上の身体貼着用のテープを有し、これを目的に応じて所望の枚数、重ねて身体に貼着することで、表皮、真皮及び筋膜を段階的に持ち上げることが可能である。前記図１〜３に示すように、炎症を起こしている部分に応じて、貼付するテープの枚数を調整すれば、刺激（持ち上げる）の深さを調整することが可能である。
【００１９】
例えば、開腹手術、開頭手術、美容整形手術等の切開術後の皮膚に、本開示のテーピングキットのテープを重ねて貼着することで、切開術後の痛みの軽減が図れ、かつ、傷の回復の早期化が期待できる。
【００２０】
また、例えば、筋肉痛、関節痛等が生じた身体に、本開示のテーピングキットのテープを重ねて貼着することで、各種痛みを軽減し、かつ、早期治癒効果が期待できる。
【００２１】
更に、例えば、運動を行う際に、目的の部位に本開示のテーピングキットのテープを重ねて貼着することで、筋肉への血流が促進され、運動機能が向上すると共に、筋肉痛等の発生を予防する効果も期待できる。
【００２２】
加えて、本開示のテーピングキットのテープを重ねて貼着することで、骨折等の外傷後の後遺症（痛み、震え、しびれ、機能低下等）を軽減したり、軽度の早期内蔵疾患（早期心疾患等）の安定化や改善等も期待できる。
【００２３】
図４は、第１実施形態に係るテーピングキット１を身体に貼着した際の概念図である。図５は、第１実施形態に係るテーピングキット１の貼着前の概念図である。本実施形態に係るテーピングキット１は、身体貼着用のテープを２枚以上有する。具体的には、第１のテープ１１と、第２のテープ１２と、を少なくとも有する。また、必要に応じて、第３のテープ１３、第４のテープ等、目的に合わせてテープの数を増やすことも可能である。
【００２４】
本開示のテーピングキット１のテープは、図示しないが、従来の身体貼着用テープと同様に、伸縮性のある基材と該基材の片面に接着剤層とを少なくとも備える。基材を形成する材料は、特に限定されず、従来、身体貼着用テープの分野で使用されているあらゆる素材を自由に選択して用いることができる。例えば、綿布のような織布、不織布、編布、紙、合成樹脂フィルム、発泡シート、高分子シート、などを１種または２種以上組み合わせて用いることができる。特に、被着体への順応性の観点から、柔軟性、伸縮性を有する素材が好ましい。また、皮膚呼吸を妨げ、ムレなどを防止するために、通気性を有する素材が好ましい。
【００２５】
粘着剤層を形成する粘着剤の種類も特に限定されず、公知の身体貼着用テープに用いることができる粘着剤を自由に選択して用いることができる。例えば、天然ゴム系、合成ゴム系、アクリル系、ウレタン系、ビニルエーテル系、シリコーン系、水系、エマルジョン系、ＵＶ系、などの粘着剤を用いることができる。
【００２６】
基材と粘着剤層の厚みは、本発明の効果を損なわない限り限定されないが、例えば、基材の厚さを１０〜７５μｍ、粘着剤層の厚さを１〜６０μｍとすることができる。また、粘着剤層の形態も特に限定されず、基材の片面全体に粘着剤層を備えてもよいし、通気性を向上させるために、基材の片面に、粘着剤層を有する部分と粘着剤層を有さない部分とで、所望のパターンを形成することも可能である。以下、各テープについて、詳細に説明する。
【００２７】
（１）第１のテープ１１
第１のテープ１１には、長手方向に複数のスリット１１１を備える。スリット１１１の形態は、本発明の効果を損なわない限り特に限定されず、目的に応じて自由に設計することができる。
【００２８】
例えば、図４及び５に示す第１実施形態に係るテーピングキット１の第１のテープ１１のように、長手方向両端部を残して、長手方向内部にスリット１１１を設けることができる。このように成形することで、テープ１１を貼付した中心部分の皮膚を持ち上げる効果を発揮させることができる。
【００２９】
また、例えば、図６及び７に示す第２実施形態に係るテーピングキット１の第１のテープ１１のように、長手方向の片方の端部を残して、長手方向内部から他方の端部に至るまで、スリット１１１を設けることも可能である。このように成形することで、スリット１１１の方向に沿って皮膚を持ち上げ、皮膚組織下の血液やリンパ液をスリット１１１の方向に沿って流れやすくすることができる。
【００３０】
その他、例えば、図８及び９に示す第３実施形態に係るテーピングキット１の第１のテープ１１ように、中心部に孔１１２を設け、この孔１１２から両端部に至るまで、スリット１１１を設けることも可能である。このように成形することで、テープ１１を貼付した中心部分の皮膚を持ち上げると同時に、皮膚組織下の血液やリンパ液をスリット１１の方向に沿って流れやすくすることができる。
【００３１】
（２）第２のテープ１２
第２のテープ１２には、前記第１のテープ１１と同様に、長手方向に複数のスリット１２１を備える。スリット１２１の形態は、本発明の効果を損なわない限り特に限定されず、目的に応じて自由に設計することができる。スリット１２１の具体的な形態は、前記第１のテープ１１のスリット１１１と同様のため、ここでは割愛する。
【００３２】
そして、第２のテープ１２は、前記第１のテープ１１の少なくとも一部に重ねて貼着するテープである。第２のテープ１２の貼着方法は、第１のテープ１１の少なくとも一部に重ねられていれば特に限定されないが、例えば、図４及び５の第１実施形態及び図６及び７の第２実施形態に示すように、第１のテープ１１のスリット１１１と、第２のテープ１２のスリット１２１とが、交差するように重ねて貼着することができる。また、図８及び９の第３実施形態に示すように、中心部を重ねて貼着することも可能である。
【００３３】
第１のテープ１１と第２のテープ１２とは、図４〜９の第１〜３実施形態のように、同一の形態であってもよいし、異なる形態に設計することも可能である。例えば、図１０及び１１に示す第４実施形態のように、第１のテープ１１については、長手方向両端部を残して、長手方向内部にスリット１１１を設けた形態にとし、第２のテープ１２については、長手方向の片方の端部を残して、長手方向内部から他方の端部に至るまで、スリット１２１を設けた形態とすることができる。
【００３４】
（３）第３のテープ１３
図１２は、第５実施形態に係るテーピングキット１を身体に貼着した際の概念図である。図１３は、第５実施形態に係るテーピングキット１の貼着前の概念図である。第３のテープ１３には、前記第１のテープ１１及び前記第２のテープ１２と同様に、長手方向に複数のスリット１３１を備える。スリット１３１の形態は、本発明の効果を損なわない限り特に限定されず、目的に応じて自由に設計することができる。スリット１３１の具体的な形態は、前記第１のテープ１１のスリット１１１及び前記第２のテープ１２のスリット１２１と同様のため、ここでは割愛する。
【００３５】
そして、第３のテープ１３は、前記第１のテープ及び前記第２のテープの少なくとも一部に重ねて貼着するテープである。第３のテープ１３の貼着方法は、第１のテープ１１及び前記第２のテープの少なくとも一部に重ねられていれば特に限定されない。第３のテープ１３の重ね貼りの具体的な態様は、前記第２のテープ１２の重ね貼りの態様と同一のため、ここでは説明を割愛する。
【００３６】
また、第３のテープ１３も、第１のテープ１１及び第２のテープ１２と同一の形態であってもよいし、異なる形態に設計することも可能である。図示しないが、例えば、第１のテープ１１については、長手方向両端部を残して、長手方向内部にスリット１１１を設けた形態にとし、第２のテープ１２及び第３のテープ１３については、長手方向の片方の端部を残して、長手方向内部から他方の端部に至るまで、スリット１２１及び１３１を設けた形態とすることができる。
【００３７】
（４）その他
本開示のテーピングキット１には、前記第１〜３のテープに加えて、必要に応じて、第４のテープ、第５のテープ・・・等、所望の枚数のテープを備えることが可能である。その場合、各テープは、同一の形態に設計することもできるし、異なる形態に設計することもできる。例えば、図８及び９に示す第３実施形態のように、スリットのないテープＴを備えることも可能である。
【００３８】
また、図１４及び１５に示す第６実施形態のように、第１のテープ１１〜第３のテープ１３を重ねて貼付した上に、更に、第１のテープ１１〜第３のテープ１３よりも大きな第４のテープ１４及び第５のテープ１５を重ねて貼付することも可能である。このように貼付することで、例えば、第１のテープ１１〜第３のテープ１３によって皮膚の痛みを軽減し、第４のテープ１４及び第５のテープ１５によって腫れを軽減させる効果が期待できる。
【００３９】
＜身体貼着用テープの貼付方法＞
本開示の身体貼着用テープの貼付方法は、第１のテープ１１を患部に貼付する第１貼付工程と、第２のテープ１２を前記第１のテープ１１の少なくとも一部に重ねて貼着する第２貼付工程と、を少なくとも行う方法である。また、必要に応じて、第４のテープ１４を貼付する第４貼付工程、図示しないが、第５のテープを貼付する第５貼付工程、・・・等、テープの枚数に合わせた回数の貼付工程を行うことが可能である。
【００４０】
なお、本開示の身体貼着用テープの貼付方法に用いる各テープの形態や、各テープの重ね貼り方法等は、前述した本開示のテーピングキットと同様であるため、ここでは説明を割愛する。
【実施例】
【００４１】
＜実験例１＞
実験例１では、切開術後の患者において、本開示に係るテーピングキットを使用した場合の影響を調べた。【００４２】
具体的には、心臓−胸部手術による中央胸骨切開術後の患者３９名を、Microsoft Excelを用いて、テープ使用群２３名とテープ不使用群１６名にランダムに分け、図１６の図面代用写真に示す方法で、テープを貼付し、１日目〜８日目までの疼痛値、オピオイド鎮痛剤の使用量、パラセタモール（鎮痛剤）の使用量、呼吸障害の自覚症状、及び疼痛の程度について、それらの経過を調査した。疼痛値は、０〜１０の範囲で痛みが無い場合を０、強くなるほど大きな数値で評価した。なお、被験者の具体的背景を下記表１に示す。結果を図１７〜２１に示す。【００４３】
【表１】
2019009411.tif 000003
【００４４】
図１７は、疼痛値の結果を示す図面代用グラフである。各群の値は、平均値を示す。図１７に示す通り、テープ不使用群に比べ、テープ使用群の方が、１日目〜８日目の全てにおいて疼痛値が低かった。また、２日目〜６日目においては、テープ不使用群に比べ、テープ使用群の方が、有意差をもって、疼痛値が低値を示した。【００４５】
図１８は、オピオイド鎮痛剤の使用量の結果を示す図面代用グラフである。各群の値は、平均値を示す。図１８に示す通り、テープ不使用群に比べ、テープ使用群の方が、１日目〜４日目においてオピオイド鎮痛剤の使用量が低かった。また、１日目及び４日目においては、テープ不使用群に比べ、テープ使用群の方が、有意差をもって、オピオイド鎮痛剤の使用量が低値を示した。【００４６】
図１９は、パラセタモール（鎮痛剤）の使用量の結果を示す図面代用グラフである。各群の値は、平均値を示す。図１９に示す通り、テープ不使用群に比べ、テープ使用群の方が、１日目〜７日目においてパラセタモール（鎮痛剤）の使用量が低かった。また、２日目においては、テープ不使用群に比べ、テープ使用群の方が、有意差をもって、パラセタモール（鎮痛剤）の使用量が低値を示した。【００４７】
図２０は、呼吸障害の自覚症状の数を示す図面代用グラフである。図２０に示す通り、テープ不使用群においては、１６人中１４人が呼吸障害を訴えたのに対し、テープ使用群において呼吸障害を訴えたのは、２３人中５人であった。また、呼吸障害を訴えなかった各群の人数は、テープ不使用群に比べ、テープ使用群の方が、有意差をもって、多い結果であった。【００４８】
図２１は、疼痛の程度を６段階に分けた場合の人数を示す図面代用グラフである。図２１に示す通り、テープ不使用群においては、疼痛の程度がひどい方に人数が固まっているのに対し、テープ使用群においては、疼痛が軽い方に人数が固まっているのが分かる。また、軽度の疼痛（slight pain）については、テープ不使用群に比べ、テープ使用群の方が、有意差をもって、多い結果であり、非常に強い疼痛（very strong pain）については、テープ使用群に比べ、テープ不使用群の方が、有意差をもって、多い結果であった。【００４９】
以上の結果から、本開示に係るテーピングキットを使用することにより、切開手術後の疼痛や呼吸困難等の症状を和らげ、早期回復を促す効果が得られることが確認できた。【００５０】
＜実験例２＞
実験例２では、早期心房収縮に対して、本開示に係るテーピングキットを使用した場合の影響を調べた。【００５１】
具体的には、不規則な鼓動、腰と背中から頸部、後頭部まで広がる痛みを訴える６１才の男性に対し、図２２〜２５の図面代用写真に示す方法で、テープを貼付した。その結果、心拍数が低下し、各所の痛みが軽減した。【００５２】
この結果から、本開示に係るテーピングキットを使用することにより、軽度の早期心疾患の安定化や改善が図れることが示唆された。【００５３】
＜実験例３＞
実験例３では、骨折後の後遺症に対して、本開示に係るテーピングキットを使用した場合の影響を調べた。【００５４】
具体的には、右手の尺骨と橈骨を骨折後、手首の震え、機能低下、無感覚等の症状を訴える３７才の男性に対し、図２６及び２７の図面代用写真に示す方法で、テープを貼付した。貼付開始から５週間後、筆記テストを行った結果、図２８に示すように、筆圧が向上し、直線や曲線等の筆記の質も向上する結果であった。【００５５】
この結果から、本開示に係るテーピングキットを使用することにより、骨折後の様々な後遺症の軽減化を図れることが示唆された。
【図１】
2019009411.tif 000004
【図２】
2019009411.tif 000005
【図３】
2019009411.tif 000006
【図４】
2019009411.tif 000007
【図５】
2019009411.tif 000008
【図６】
2019009411.tif 000009
【図７】
2019009411.tif 000010
【図８】
2019009411.tif 000011
【図９】
2019009411.tif 000012
【図１０】
2019009411.tif 000013
【図１１】
2019009411.tif 000014
【図１２】
2019009411.tif 000015
【図１３】
2019009411.tif 000016
【図１４】
2019009411.tif 000017
【図１５】
2019009411.tif 000018
【図１６】
2019009411.tif 000019
【図１７】
2019009411.tif 000020
【図１８】
2019009411.tif 000021
【図１９】
2019009411.tif 000022
【図２０】
2019009411.tif 000023
【図２１】
2019009411.tif 000024
【図２２】
2019009411.tif 000025
【図２３】
2019009411.tif 000026
【図２４】
2019009411.tif 000027
【図２５】
2019009411.tif 000028
【図２６】
2019009411.tif 000029
【図２７】
2019009411.tif 000030
【図２８】
2019009411.tif 000031
【国際調査報告】
2019009411.tif 000032
2019009411.tif 000033
2019009411.tif 000034